(57)【特許請求の範囲】
【請求項１】
冷媒を圧縮するための圧縮機と、通過する空気に放熱するための第一熱交換器と、前記冷媒を膨張するための膨張機構と、前記通過する空気から吸熱するための第二熱交換器とを設け、前記圧縮機、前記第一熱交換器、前記膨張機構、前記第二熱交換器という順に連結し前記冷媒を流通させるための冷媒配管と、浴室内の空気を屋外に排出するための換気送風手段と、前記浴室内の空気の温度を検知する温度検知手段を有し、前記浴室内の温度が所定温度以上になると前記換気送風手段による換気送風量が大きくなるものであって、前記浴室に空気を吹き出す循環送風手段を設け、前記浴室内の温度が所定温度以上になると前記圧縮機の吐出温度の上昇を抑えるよう前記第一熱交換器を流通する空気量が多くなるように前記循環送風手段による循環送風量を多くする浴室換気乾燥機。
【請求項２】
連通ダンパーを換気送風手段の上流側に設け、前記連通ダンパーの開度を大きくすることで換気送風量を大きくする請求項１に記載の浴室換気乾燥機。
【発明の詳細な説明】
【技術分野】
【０００１】
本発明は、ヒートポンプを利用して浴室などで衣類の乾燥を行う浴室換気乾燥機に関するものである。
【背景技術】
【０００２】
従来、この種の浴室換気乾燥機は、浴室内の空気を吸い込み、その一部を浴室内に吹き出す循環送風手段と、浴室内に吹き出す空気を加温する加熱手段と、浴室内から吸い込んだ空気の一部を屋外に排出する換気送風手段と、換気送風量を可変させる風量設定手段と、設定した運転時間だけ乾燥運転を行うタイマー手段を備えるものが知られている（例えば、特許文献１参照）。
【先行技術文献】
【特許文献】
【０００３】
【特許文献１】特開平１１−２９０５９１号公報
【発明の概要】
【発明が解決しようとする課題】
【０００４】
このような従来の浴室換気乾燥機においては、タイマー手段で設定した運転時間よりも所定時間だけ早期の時点に達したときに、浴室内の空気の一部を屋外に排出する換気送風量を減少させる構成となっていたので、ヒートポンプを利用した浴室換気乾燥機の場合、乾燥運転の後期に浴室温度が高くなった状態で浴室内の空気の一部を屋外に排出する換気送風量を減少させると、さらに浴室内の温度が上昇し圧縮機の吐出温度が高くなるので、圧縮機を保護するために圧縮機を停止させざるを得なくなり、圧縮機を停止させた結果、衣類乾燥時間が長くなってしまうという課題を有していた。
【０００５】
そこで本発明は、上記従来の課題を解決するものであり、浴室温度が高くならないようにし、圧縮機を保護するために圧縮機を停止させる動作を行なわないことで衣類乾燥時間が長くならないようにした浴室換気乾燥機を提供することを目的とする。
【課題を解決するための手段】
【０００６】
そして、この目的を達成するために、本発明は、冷媒を圧縮するための圧縮機と、通過する空気に放熱するための第一熱交換器と、前記冷媒を膨張するための膨張機構と、前記通過する空気から吸熱するための第二熱交換器とを設け、前記圧縮機、前記第一熱交換器、前記膨張機構、前記第二熱交換器という順に連結し前記冷媒を流通させるための冷媒配管と、浴室内の空気を屋外に排出するための換気送風手段と、浴室内の空気の温度を検知する温度検知手段を有し、浴室内の温度が所定温度以上になると前記換気送風手段による換気送風量が大きくなるようにしたものであり、これにより所期の目的を達成するものである。
【０００７】
また、本発明は、浴室に空気を吹き出す循環送風手段を設け、前記浴室内の温度が所定温度以上になると前記循環送風手段による循環送風量が大きくなるようにしたものであり、これにより所期の目的を達成するものである。
【発明の効果】
【０００８】
本発明によれば、冷媒を圧縮するための圧縮機と、通過する空気に放熱するための第一熱交換器と、前記冷媒を膨張するための膨張機構と、前記通過する空気から吸熱するための第二熱交換器とを設け、前記圧縮機、前記第一熱交換器、前記膨張機構、前記第二熱交換器という順に連結し前記冷媒を流通させるための冷媒配管と、浴室内の空気を屋外に排出するための換気送風手段と、浴室内の空気の温度を検知する温度検知手段を有し、浴室内の温度が所定温度以上になると前記換気送風手段による換気送風量が大きくなる構成にしたことにより、
浴室温度が高くならないようにし、圧縮機を保護するために圧縮機を停止させる動作を行なわないことで、衣類乾燥時間が長くならないようにするという効果を得ることができる。
【０００９】
また、本発明によれば、浴室に空気を吹き出す循環送風手段を設け、前記浴室内の温度が所定温度以上になると前記循環送風手段による循環送風量が大きくなる構成にしたことにより、圧縮機の吐出温度が高くならないようにし、圧縮機を保護するために圧縮機を停止させる動作を行なわないことで、より衣類乾燥時間が長くならないようにするという効果を得ることができる。
【図面の簡単な説明】
【００１０】
【図１】本発明の実施の形態の浴室換気乾燥機の内部構成を示す斜視図
【図２】同浴室換気乾燥機の設置状態を示す断面図
【図３】同浴室換気乾燥機の動作を示すフローチャート
【発明を実施するための形態】
【００１１】
本発明の浴室換気乾燥機は、冷媒を圧縮するための圧縮機と、通過する空気に放熱するための第一熱交換器と、前記冷媒を膨張するための膨張機構と、前記通過する空気から吸熱するための第二熱交換器とを設け、前記圧縮機、前記第一熱交換器、前記膨張機構、前記第二熱交換器という順に連結し前記冷媒を流通させるための冷媒配管と、浴室内の空気を屋外に排出するための換気送風手段と、浴室内の空気の温度を検知する温度検知手段を有し、浴室内の温度が所定温度以上になると前記換気送風手段による換気送風量が大きくなる構成を有する。これにより、浴室温度が高くならないようにし、圧縮機を保護するために圧縮機を停止させる動作を行なわないので、衣類乾燥時間が長くならないようにするという効果を奏する。
【００１２】
また、浴室に空気を吹き出す循環送風手段を設け、前記浴室内の温度が所定温度以上になると前記循環送風手段による循環送風量が大きくなる、という構成にしてもよい。これにより、第一熱交換器での放熱量が多くなり圧縮機の吐出温度が高くならないので、圧縮機を保護するために圧縮機を停止させる動作を行なわず衣類乾燥時間が長くならないという効果を奏する。
【００１３】
以下、本発明の実施の形態について図面を参照しながら説明する。
【００１４】
（実施の形態１）
図１および図２に示すように、浴室換気乾燥機は、冷媒を圧縮するための圧縮機１と、通過する空気に放熱するための第一熱交換器２と、前記冷媒を膨張するための膨張機構３と、前記通過する空気から吸熱するための第二熱交換器４と、前記圧縮機１、前記第一熱交換器２、前記膨張機構３、前記第二熱交換器４という順に連結し前記冷媒を流通させるための冷媒配管５と、浴室６から空気を吸い込み、前記第二熱交換器４、前記第一熱交換器２の順に空気を流通させ、再度前記浴室６に空気を吹き出す循環送風手段７を箱状の外郭８に配置する。前記外郭８には換気送風手段９が連通ダンパー１０を介して連通される。
【００１５】
前記換気送風手段９は通気ダクト１１を介して、洗面所１２およびトイレ１３と繋がる。乾燥運転を開始すると、前記圧縮機１が作動し、前記第一熱交換器２、前記膨張機構３、前記第二熱交換器４という順に前記冷媒が前記冷媒配管５を経由して流通する。また、前記循環送風手段７が作動し、前記浴室６から空気を吸い込み、前記第二熱交換器４、前記第一熱交換器２の順に空気を流通させ、再度前記浴室６に空気を吹き出す。このとき、前記浴室６から吸い込まれた空気は、冷媒が流通している前記第二熱交換器４、および前記第一熱交換器２を流通するときに熱交換を行なうが、前記第二熱交換器４では前記浴室６から吸い込まれた空気は吸熱され、結露し除湿される。その後前記第一熱交換器２を通過するときには放熱されるので、結果的に前記浴室６から吸い込まれた空気は、再熱除湿され再度前記浴室６に吹き出され、前記浴室６に配置された衣類１４の乾燥が促進されることになる。また乾燥運転中、前記換気送風手段９が作動し、連通ダンパー１０が所定の開度開くことにより前記浴室６から前記換気送風手段９までの風路が形成され、前記通気ダクト１１を介して前記換気送風手段９と繋がる前記洗面所１２、および前記トイレ１３と合わせて前記浴室６からも前記換気送風手段９へ空気が吸い込まれ、排気ダクト１５を経由して前記浴室６内の空気も屋外へ排出される。乾燥運転中に前記浴室６の空気を屋外に排出する目的は前記浴室６内に、前記衣類１４などから発生した臭いがこもらないようにすることであるが、その換気送風量が多くなると前記浴室６内の湿度が高くなり前記衣類１４の乾燥が阻害されるので、前記衣類１４の乾燥を促進するために、前記換気送風量は最低限になるように前記換気送風手段９の回転数、および前記連通ダンパー１０の開度は制御され作動する。乾燥運転中、前記浴室６から吸い込まれた空気は、再熱除湿され、再度前記浴室６に吹き出されるが、長時間乾燥運転を継続すると、徐々に前記浴室６内の空気の温度が上昇する。その結果、温度が高くなった空気を吸い込んで乾燥運転を行なうと、前記圧縮機１の吐出温度が高くなり、その吐出温度が前記圧縮機１の仕様（保証している）範囲を超えそうになると、前記圧縮機１を保護するために前記圧縮機１の作動を停止せざるを得なくなる。つまり、前記浴室６内の空気の温度が高くなってくる（例えば４０℃位）と前記圧縮機１を保護するために、前記圧縮機１は作動と停止を繰り返す、いわゆる間欠運転をし、結果的に前記衣類１４の乾燥にかかる時間が長くなってしまう。この前記圧縮機１の間欠運転を避けるために、前記浴室６内の空気温度を検知するための温度検知手段１６（一例としてサーミスター）を、前記浴室６から吸い込まれた空気が流通する風路で、かつ前記第二熱交換器４の上流側に設け、前記温度検知手段１６が所定の温度以上、例えば３０℃以上を検知すると、前記浴室６からの換気送風量を多くする、例えば３〜４倍にするために、前記換気送風手段９の回転数、および前記連通ダンパー１０の開度を変更して制御する。その結果、再熱除湿された空気が吹き出されることにより温度が高くなった前記浴室６内の空気は、前記連通ダンパー１０、前記換気送風手段９、および排気ダクト１５を経由して、より多く屋外に排出されるため、前記浴室６内の空気の温度上昇は抑えられ、前記圧縮機１は間欠運転をすることなく作動し、前記衣類１４の乾燥が阻害されることはなくなる。
【００１６】
また、前記温度検知手段１６が所定の温度、例えばＴ２（後述）＝３５℃、以上を検知すると、前記循環送風手段７（例えば、遠心送風機）による循環送風量を多くする、例えば約１．５倍多くする、という構成にしてもよい。
【００１７】
また、図３に示すように、浴室換気乾燥機の動作を示すフローチャートである。
【００１８】
前記温度検知手段１６が所定の温度以上（Ｔ１＝例えば３０℃）を検知すると、前記換気送風手段９（例えば、遠心送風機）の回転数を多く、および前記連通ダンパー１０の開度を大きくして、前記浴室６からの換気送風量を多くして前記浴室６内の空気の温度上昇を抑えるが、それでもなお前記浴室６内の空気の温度が上昇し、所定の温度以上（Ｔ２＝例えば３５℃、ここでＴ２＞Ｔ１）を検知したときに、前記循環送風手段７の回転数を多くして、循環送風量を多くする。
【００１９】
その結果、第一熱交換器２を流通する空気量が多くなり、つまり、第一熱交換器での放熱量が多くなり前記圧縮機１の吐出温度が上昇することを抑えることができるので、前記圧縮機１を保護するために前記圧縮機１を間欠運転する必要がなくなり、前記衣類１４の乾燥が阻害されることはなくなる。
【産業上の利用可能性】
【００２０】
本発明にかかる浴室換気乾燥機は、浴室温度が高くならないようにし、圧縮機を保護するために圧縮機を停止させる動作を行なわないことで、衣類乾燥時間が長くならないことを可能とするものであるので、圧縮機を搭載する乾燥機の制御方法等として有用である。
【符号の説明】
【００２１】
１    圧縮機
２    第一熱交換器
３    膨張機構
４    第二熱交換器
５    冷媒配管
６    浴室
７    循環送風手段
８    外郭
９    換気送風手段
１０  連通ダンパー
１１  通気ダクト
１２  洗面所
１３  トイレ
１４  衣類
１５  排気ダクト
１６  温度検知手段
【図１】
0006023969.tif 000002
【図２】
0006023969.tif 000003
【図３】
0006023969.tif 000004